(57)【特許請求の範囲】
【請求項１】
ワイヤハーネスをグロメットに通し、該グロメットにバンドクランプを取り付けて車体に係止するものにおいて、
上記バンドクランプを取り付ける部分のグロメット内部のワイヤハーネスに、グロメットの内径に対して９０％〜１１０％の外径となる剛性を有するカラーをテープ巻きして取り付け、該カラーの外周面にグロメットを外嵌し、該グロメットの外周にバンドクランプのバンドを締め付けて取り付けていることを特徴とするワイヤハーネス。
【請求項２】
上記カラーは円筒材を軸線方向に半割りした一対の半割体からなり、一方の分割端を薄肉ヒンジで連結していると共に、上記半割体の長さ方向の一端よりテープ巻き舌片を突出させており、該舌片とワイヤハーネスの電線群にテープ巻き固定すると共に、電線群に外嵌して円筒とした部分もテープ巻き固定している請求項１に記載のワイヤハーネス。
【発明の詳細な説明】
【０００１】
【発明の属する技術分野】
本発明は自動車に配索するワイヤハーネスに関し、詳しくは、防水を図るためにワイヤハーネスにグロメットを外装し、該グロメットにバンドクランプを取り付けて車体に係止するものにおいて、バンドクランプ取付部分のグロメットの劣化防止と、グロメットへのクランプの取付作業性の向上を図るものである。
【０００２】
【従来の技術】
従来、図３に示すように、自動車のエンジンルームに配索するワイヤハーネスＷ／Ｈには、エンジンルームと車室とを仕切るパネル１の貫通穴１ａを通す部分にはグロメット２を外装し、グロメット２を貫通穴１ａに密嵌して車室への浸水防止を図っている。このグロメット２は、エンジンルーム側において、スプリングボード３の上面を越えて配索するために、蛇腹状の長尺なものとしており、その一部にバンドクランプ４を取り付け、サイドパネル５にバンドクランプ４の係止部４ａを係止係止して、ワイヤハーネスを固定している。
【０００３】
上記グロメット２に通すワイヤハーネスＷ／Ｈの外径がグロメット２の内径よりも小さい場合には、ワイヤハーネスとグロメットとの間に隙間が生じることとなる。例えば、グロメット２の蛇腹部の谷部および円筒状としたバンドクランプ取付部２ａの内径が約２５ｍｍの場合、ワイヤハーネスＷ／Ｈの外径が１０ｍｍであると、可成大きな隙間が発生する。その場合、グロメット２のバンドクランプ取付部２ａにバンドクランプ４のバンド４ｂを巻き付けて締め付けると、図４（Ｂ）に示すように、グロメット２のバンドクランプ取付部分２ａが折り曲げられて重なった状態となる。
【０００４】
【発明が解決しょうとする課題】
上記のように、バンドクランプ取付部分２ａのグロメット２が折り曲げられて重なった状態となっていると、この部分がバンドクランプ４によりサイドパネル５側に強い力で常に引っ張られて応力がかかった状態となっているため、他の部分よりも劣化し易い問題がある。そのため、経年変化により亀裂が生じて、グロメット２の内部に水が侵入する恐れがある。
【０００５】
また、グロメット２にバンドクランプ４を取り付ける時、グロメット２とワイヤハーネスＷ／Ｈの間に隙間があると、グロメット２が撓んで、バンドクランプ４を取り付けにくい問題もある。
【０００６】
本発明は上記した問題に鑑みてなされたもので、グロメットのバンドクランプ取付部にバンドクランプが巻き付けられて取り付けられた状態において、該バンドクランプ取付部が、折り重なった状態となることを防止することを課題としている。
【０００７】
【課題を解決するための手段】
上記課題を解決するため、本発明は、ワイヤハーネスをグロメットに通し、該グロメットにバンドクランプを取り付けて車体に係止するものにおいて、
上記バンドクランプを取り付ける部分のグロメット内部のワイヤハーネスに、グロメットの内径に対して９０％〜１１０％の外径となる剛性を有するカラーをテープ巻きして取り付け、該カラーの外周面にグロメットを外嵌し、該グロメットの外周にバンドクランプのバンドを締め付けて取り付けていることを特徴とするワイヤハーネスを提供している。
【０００８】
上記カラーは合成樹脂成形品からなり、その長さはグロメットの円筒形状としたバンドクランプ取付部分の長さに対応させている。
【０００９】
上記カラーは円筒材を軸線方向に半割りした一対の半割体からなり、一方の分割端を薄肉ヒンジで連結していると共に、上記半割体の長さ方向の一端よりテープ巻き舌片を突出させており、該舌片とワイヤハーネスの電線群にテープ巻き固定すると共に、電線群に外嵌して円筒とした部分もテープ巻き固定している。
【００１０】
上記のように、バンドクランプ取付部分のグロメットの内部のワイヤハーネスにカラーを取り付けておくと、該カラーの外周面とグロメットのバンドクランプ付部分の内周面との間の隙間が小さくなり、あるいは隙間が無くなり、バンドクランプのバンドをグロメットに巻き付けて締め付けても、グロメットは折り曲げれて重なることは防止できる。よって、バンドクランプをパネルに係止して、グロメットのバンドクランプ取付部分が引っ張られて常時応力が負荷されても、グロメットはカラーにより支持されて補強された状態となるため、グロメットの部分的な劣化を防止できる。
【００１１】
また、グロメットにバンドクランプのバンドを巻き付けて締め付ける時、グロメットはカラーにより支持されて撓まないため、バンドの締め付けを容易に行うことができる。
【００１２】
【発明の実施の形態】
以下、本発明の実施形態を図１および図２を参照して説明する。
なお、前記図３と同一部材は同一符号を付す。
【００１３】
グロメット２は前記４と同様な形状で、自動車のエンジンルームに配索するワイヤハーネスＷ／Ｈに取り付けられるものであり、ゴムまたはエラストマーで成形された長尺な筒部を蛇腹形状とし、一端に車体係止部を備えている。また、蛇腹形状の筒部の一部に円筒形状としたバンドクランプ取付部分２ａを設けている。
【００１４】
上記グロメット２のバンドクランプ取付部分２ａおよび蛇腹筒部２ｂの谷部２ｃの内径は２５ｍｍとされている。なお、グロメット２の長さは２５０ｍｍである。
【００１５】
上記グロメット２に外径が約２０ｍｍ以下で、例えば、１０ｍｍのワイヤハーネスＷ／Ｈを挿通する場合、図２に示すような、バンドクランプ取付部分２ａを通る部分のワイヤハーネスＷ／Ｈの電線群Ｗに、合成樹脂製で剛性を有するカラー１０を粘着テープ１１で取り付けている。
【００１６】
上記カラー１０は、円筒材を軸線方向に半割りした一対の半割体１０ａ、１０ｂからなり、一方の分割端を薄肉ヒンジで１０ｃで連結した形状とし、半割体１０ａの長さ方向の一端よりテープ巻き舌片１０ｄを突出させている。この半割体１０ａと１０ｂの他方の分割端１０ｅ、１０ｆを接合させて円筒形状とした時、該円筒形状の外径は、バンドクランプ取付部分２ａの内径に対して９０％〜１１０％となるように設定している。
【００１７】
上記カラー１０は、図２（Ｂ）に示すように、ワイヤハーネスＷ／Ｈの電線群Ｗに被せて、分割端１０ｅと１０ｆとを接合させた状態で、粘着テープ１２を巻き付けて円筒形状に保持すると共に、舌片１０ｃと電線群Ｗとに粘着テープ１１を巻き付けて、カラー１０を電線群Ｗに固定している。
【００１８】
このように、電線群Ｗにカラー１０を取り付けた後に、グロメット２に電線群Ｗを通し、バンドクランプ取付部分２ａの内部にカラー１０を位置させる。その後、バンドクランプ取付部分２ａにバンドクランプ４のバンド４ｂを巻き付け、バンド係止部４ｃの係止穴４ｄに通して締め付け固定しておく。其の際、グロメット２はカラー１０に内部側から支持されてるために撓まず、バンド４ｂをしっかりと締め付けることができる。
【００１９】
上記したグロメット２を外装したワイヤハーネスＷ／Ｈは、前記図３と同様に、エンジンルーム内に配索し、車体との仕切パネルにグロメットの先端の車体係止部を挿入係止した後、バンドクランプ４の係止部をサイドパネルの係止穴に挿入係止して、ワイヤハーネスＷ／Ｈを固定している。
【００２０】
上記グロメット２は、そのバンドクランプ取付部分２ａの内部にカラー１０を配置しているため、バンドクランプ４の係止部４ａによりサイドパネル５側に常時引っ張られて応力が負荷されるが、カラー１０により補強されていると共に、従来のように折り曲げれていないため、劣化しにくい。よって、経年変化により亀裂が入って浸水が生じる恐れはない。
【００２１】
【発明の効果】
以上の説明より明らかなように、本発明によれば、グロメットの内径よりもワイヤハーネスの外径が小さい場合、グロメットのバンドクランプ取付部分に当たるワイヤハーネスの部分にカラーを取り付けてグロメットの内径に合う大きさとしているため、バンドクランプの取付時にグロメットが折り曲げられて重なることが防止できる。よって、バンドクランプを車体に係止してグロメットに応力が負荷しても、グロメットの劣化を防止することができる。
【００２２】
また、グロメットのバンドクランプ取付部分にバンドクランプのバンドを巻き付けて締め付ける時、グロメットがカラーで保持されているため、バンド締付時にグロメットが撓まず、バンドの締め付けを容易に行うことができる。
【図面の簡単な説明】
【図１】  本発明の実施形態を示し、（Ａ）は要部正面図、（Ｂ）は（Ａ）のＡ−Ａ線断面図である。
【図２】  （Ａ）はワイヤハーネスの電線群に取り付けるカラーを示す斜視図、（Ｂ）は電線群にカラーを取り付けた状態の斜視図、（Ｃ）は（Ｂ）の正面図、（Ｄ）は（Ｂ）のＤ−Ｄ線断面図である。
【図３】  従来例を示す斜視図である。
【図４】  （Ａ）は従来例のグロメットをワイヤハーネスに取り付けた状態を示す正面図、（Ｂ）は（Ａ）のＣ−Ｃ線の拡大断面図である。
【符号の説明】
２  グロメット
２ａ  バンドクランプ取付部分
４  バンドクランプ
４ａ  係止部
４ｂ  バンド
５  サイドパネル
１０  カラー
１０ａ  １０ｂ  半割体
１０ｃ  ヒンジ
１０ｄ  テープ巻き舌片
１１、１２  粘着テープ
Ｗ／Ｈ  ワイヤハーネス
Ｗ  電線群
【図１】
0003646559.tif 000002
【図２】
0003646559.tif 000003
【図３】
0003646559.tif 000004
【図４】
0003646559.tif 000005